(57)【要約】【課題】本発明は、吸収性物品内部にこもった蒸気を効率よく外部に逃すことのできる吸収性物品を提供することを課題とする。【解決手段】本発明は、前身頃から後身頃にかけて配置された吸収体と、内側シートと、外側シートと、クッション形成シートと、クッション形成シートよりも肌非対向面側で幅方向に沿って固定されている複数のウエスト伸縮部材と、を有する吸収性物品であって、少なくとも内側シートとクッション形成シートは、長手方向に沿って延びる直線状の接合線で形成された接合部と、非接合部と、が交互に形成されるように接合部で接合されており、クッション形成シートの各々の非接合部の股下部側端部領域には、少なくとも１つの開孔部が設けられている吸収性物品に関する。【選択図】図１
2018196574.tif 000002
【特許請求の範囲】
【請求項１】
長手方向と、前記長手方向に直交する幅方向とを有し、
前身頃と、後身頃と、前記前身頃と前記後身頃の間に位置する股下部とに、長手方向に区分され、
前記前身頃から前記後身頃にかけて配置された吸収体と、
内側シートと、
前記内側シートよりも肌非対向面側に配される外側シートと、
前記内側シートよりも肌対向面側に配されるクッション形成シートと、
前記クッション形成シートよりも肌非対向面側で幅方向に沿って固定されている複数のウエスト伸縮部材と、を有する吸収性物品であって、
少なくとも前記内側シートと前記クッション形成シートは、前記長手方向に沿って延びる直線状の接合線で形成された接合部と、非接合部と、が交互に形成されるように前記接合部で接合されており、
前記クッション形成シートの各々の非接合部の股下部側端部領域には、少なくとも１つの開孔部が設けられている吸収性物品。
【請求項２】
前記接合部は、それぞれ、前記長手方向に沿って延びる直線状の接合線が２列に並んで形成されたものであり、
前記接合部同士の間に形成される非接合部の間隔は、前記接合部内の前記接合線の列の間の間隔よりも広い請求項１に記載の吸収性物品。
【請求項３】
前記クッション形成シートの透気度は、前記内側シートの透気度よりも高い請求項１又は２に記載の吸収性物品。
【請求項４】
前記開孔部の面積は、０．０１〜５ｃｍ2である請求項１〜３のいずれか１項に記載の吸収性物品。
【発明の詳細な説明】
【技術分野】
【０００１】
本発明は、吸収性物品に関する。
【背景技術】
【０００２】
使い捨ておむつといった吸収性物品は、尿などの排泄液を吸収体によって吸収する。使い捨ておむつの型には様々なものがあり、例えば、パンツ型の使い捨ておむつや、テープ型の使い捨ておむつが知られている。パンツ型の使い捨ておむつは、前身頃と後身頃の両側部が予め接合されたタイプの使い捨ておむつである。また、テープ型の使い捨ておむつは、前身頃又は後身頃の両側部に接合テープが取り付けられており、着用時に接合テープを利用して前身頃と後身頃を接着させるタイプの使い捨ておむつである。
【０００３】
パンツ型使い捨ておむつにおいては、一般的に、前身頃と後身頃を接着して形成されたウエスト開口部の周縁に、複数の伸縮部材が伸張状態で固定されている。これら伸縮部材が、着用者のウエスト周りを締めこむことによって、おむつが下にずり落ちずに着用できるようになっている。おむつのウエスト周りの締め付けを強くすると、ウエスト開口部の周縁と着用者のウエスト部の密着性が高まるというメリットがあるが、通気性が悪くなるというデメリットもある。
【０００４】
例えば、特許文献１には、使い捨ておむつのウエスト開口部の周縁部材に複数の筒状部（フルート構造）を形成し、この筒状部を構成する最外層のシート部材に、複数の開孔を間欠的に形成した伸縮シートを有する使い捨ておむつが開示されている。ここでは、筒状部を構成するシート部材の凸部に沿って、複数の開孔を一列に設けることとしている。また、特許文献２には、フルート構造の最外層シート部材（クッション形成シート）に複数の開孔が形成された使い捨ておむつが開示されている。ここでは、開孔が使い捨ておむつの長手方向に対して所定角度傾斜するように配置されている。
【先行技術文献】
【特許文献】
【０００５】
【特許文献１】特開２０１１−０７８４７７号公報
【特許文献２】特開２０１６−０４３２４８号公報
【発明の概要】
【発明が解決しようとする課題】
【０００６】
従来、使い捨ておむつ等の吸収性物品においては、吸収性物品内部に蒸気がこもりやすく、そのような状態で着用者が長時間着用した際には、おむつかぶれ等の肌トラブルが発生することが問題となっている。このため、吸収性物品内部にこもった蒸気を効率よく外部に逃すことのできる吸収性物品の開発が求められている。しかしながら、従来技術にあるように、シート部材に多数の開孔が設けられた使い捨ておむつ等の吸収性物品においては、吸収性物品内部にこもった蒸気を効率よく外部に逃しにくいという問題があった。
【０００７】
そこで本発明者らは、このような従来技術の課題を解決するために、吸収性物品内部にこもった蒸気を効率よく外部に逃すことのできる吸収性物品を提供することを目的として検討を進めた。
【課題を解決するための手段】
【０００８】
上記の課題を解決するために鋭意検討を行った結果、本発明者らは、吸収体と、内側シートと、内側シートよりも肌対向面側に配されるクッション形成シートと、内側シートよりも肌非対向面側に配される外側シートと、を有する吸収性物品において、クッション形成シートの所定箇所に開孔部を形成することにより、吸収性物品内部にこもった蒸気を効率よく外部に逃し得る吸収性物品が得られることを見出した。
具体的に、本発明は、以下の構成を有する。
【０００９】
［１］  長手方向と、長手方向に直交する幅方向とを有し、
前身頃と、後身頃と、前身頃と後身頃の間に位置する股下部とに、長手方向に区分され、
前身頃から後身頃にかけて配置された吸収体と、
内側シートと、
内側シートよりも肌非対向面側に配される外側シートと、
内側シートよりも肌対向面側に配されるクッション形成シートと、
クッション形成シートよりも肌非対向面側で幅方向に沿って固定されている複数のウエスト伸縮部材と、を有する吸収性物品であって、
少なくとも内側シートとクッション形成シートは、長手方向に沿って延びる直線状の接合線で形成された接合部と、非接合部と、が交互に形成されるように接合部で接合されており、
クッション形成シートの各々の非接合部の股下部側端部領域には、少なくとも１つの開孔部が設けられている吸収性物品。
［２］  接合部は、それぞれ、長手方向に沿って延びる直線状の接合線が２列に並んで形成されたものであり、
接合部同士の間に形成される非接合部の間隔は、接合部内の接合線の列の間の間隔よりも広い［１］に記載の吸収性物品。
［３］  クッション形成シートの透気度は、内側シートの透気度よりも高い［１］又は［２］に記載の吸収性物品。
［４］  開孔部の面積は、０．０１〜５ｃｍ2である［１］〜［３］のいずれかに記載の吸収性物品。
【発明の効果】
【００１０】
本発明によれば、吸収性物品内部にこもった蒸気を効率よく外部に逃し得る吸収性物品を得ることができる。
【図面の簡単な説明】
【００１１】
【図１】図１は、本発明の一実施形態に係る使い捨ておむつの外観斜視図である。
【図２】図２は、本発明の一実施形態に係る使い捨ておむつの展開平面図である。
【図３】図３は、図２で示したＹ−Ｙ線における断面図である。
【図４】図４は、ウエスト開口部の厚み方向の断面状態を模式的に示した図である。
【図５】図５は、接合部と非接合部の形態の一例を説明する図である。
【発明を実施するための形態】
【００１２】
以下において、本発明について詳細に説明する。以下に記載する構成要件の説明は、代表的な実施形態や具体例に基づいてなされることがあるが、本発明はそのような実施形態に限定されるものではない。
【００１３】
本明細書において、「長手方向」とは、吸収性物品のうち、着用者の腹部側に位置する前身頃と着用者の背部側に位置する後身頃とを結ぶ方向を意味する。また、「幅方向」とは、吸収性物品の長手方向に平面的に直交する方向を意味する。
また、本明細書において、「肌対向面」とは、吸収性物品の着用時において着用者の肌に対向する面を意味する。また、「肌非対向面」とは、吸収性物品の着用時において着用者の肌に対向しない面を意味している。なお、本明細書において、「Ａ〜Ｂ」とは、「Ａ以上Ｂ以下」であることを意味する。
【００１４】
（吸収性物品）
本発明は、長手方向と、長手方向に直交する幅方向とを有し、前身頃と、後身頃と、前身頃と後身頃の間に位置する股下部とに、長手方向に区分され、前身頃から後身頃にかけて配置された吸収体と、内側シートと、内側シートよりも肌非対向面側に配される外側シートと、内側シートよりも肌対向面側に配されるクッション形成シートと、クッション形成シートよりも肌非対向面側で幅方向に沿って固定されている複数のウエスト伸縮部材と、を有する吸収性物品に関する。吸収性物品において、少なくとも内側シートとクッション形成シートは、長手方向に沿って延びる直線状の接合線で形成された接合部と、非接合部と、が交互に形成されるように接合部で接合されている。そして、クッション形成シートの各々の非接合部の股下部側端部領域には、少なくとも１つの開孔部が設けられている。
【００１５】
本発明の吸収性物品は、上記構成を有するものであるため、吸収性物品内部にこもった蒸気を効率よく外部に逃すことができる。具体的には、本発明の吸収性物品においては、クッション形成シートの各々の非接合部の股下部側端部領域に、少なくとも１つの開孔部を設けることにより、吸収性物品内部にこもった蒸気を開孔部から効率よく取り込むことができる。吸収性物品内部の蒸気は特に股下部側領域にこもりやすいため、クッション形成シートの各々の非接合部の股下部側端部領域に開孔部を設けることにより、吸収性物品内部にこもった蒸気を開孔部から取り込みやすくなる。そして、開孔部から取り込まれた蒸気は、クッション形成シートと内側シートの間に形成された通気路（筒状部）を通って外部に放出される。これにより、本発明の吸収性物品の内部に蒸気がこもることを解消することができる。
【００１６】
なお、本明細書において、クッション形成シートの各々の非接合部の股下部側端部領域とは、クッション形成シートの非接合部の股下部側端縁から、長手方向外側に向かって非接合部の長手方向の全長の３０％の距離までの領域をいう。すなわち、クッション形成シートの非接合部の長手方向の長さをＡｍｍとした場合、クッション形成シートの各々の非接合部の股下部側端部領域の長手方向長さは０．３×Ａｍｍである。なお、図２において、非接合部の股下部側端部領域は、Ｄの範囲で表された領域である。
【００１７】
本発明の吸収性物品は、その形態が特に制限されるものではないが、吸収性物品としては、例えば、使い捨ておむつや生理用ナプキン等を挙げることができる。使い捨ておむつは、パンツ型の使い捨ておむつとテープ型の使い捨ておむつに大別される。パンツ型の使い捨ておむつは、前身頃と後身頃の両側部が予め接合された構成の使い捨ておむつである。パンツ型の使い捨ておむつは、それぞれ別体として形成された前身頃外装体と後身頃外装体の間を、吸収部本体が架橋する構成を有する架橋タイプのものであってもよい。また、パンツ型の使い捨ておむつは、前身頃から股下部を通って後身頃に掛けて一体的に形成された外装体に、股下部を中心として吸収部本体を固定した一体タイプのものであってもよい。テープ型の使い捨ておむつは、前身頃又は後身頃の両側部に接合テープが取り付けられているもので、着用時に接合テープを利用して前身頃と後身頃を接合させるタイプの使い捨ておむつである。
以下では、これらの種々のタイプの吸収性物品のうち、パンツ型使い捨ておむつを例に挙げて、本発明の内容を具体的に説明する。
【００１８】
（パンツ型使い捨ておむつの構造）
図１は、吸収性物品１００（以下、使い捨ておむつ又はおむつともいう）を前身頃側から見た例を示す斜視図である。また、図２は、使い捨ておむつの例を示す展開図である。図２は使い捨ておむつを肌対向面側から見た状態を示している。
【００１９】
図１及び２に示されるように、使い捨ておむつは、装着された際に着用者の腹部に接する前身頃１と、着用者の背部に接する後身頃２と、着用者の股下にあてがわれる股下部３とを有する。本実施形態の使い捨ておむつにおいては、前身頃外装体１０によって前身頃１が構成され、後身頃外装体２０によって後身頃２が構成される。そして、前身頃外装体１０と後身頃外装体２０の間の股下部３には、吸収部本体３０が架橋されている。つまり、吸収部本体３０の一端は、前身頃外装体１０に固定され、吸収部本体３０の他端は、後身頃外装体２０に固定されている。各外装体と吸収部本体３０の固定には、例えば、ホットメルト接着剤等が用いられる。
【００２０】
図２に示された展開状態から、前身頃外装体１０と後身頃外装体２０の幅方向両端部を接合することにより、図１に示される状態に組み上がる。図１に示されるように、前身頃外装体１０の上端縁と後身頃外装体２０の上端縁により、ウエスト開口部４が形成される。また、前身頃外装体１０と後身頃外装体２０の両端部同士が接合されることにより、装着時に着用者の脚部周りに位置するレッグ開口部５が形成される。
【００２１】
＜外装体＞
図１及び２に示されるように、本実施形態において、前身頃外装体１０と後身頃外装体２０は、それぞれ、内側シート４１と、内側シート４１よりも肌非対向面側に配される外側シート４２と、内側シート４１よりも肌対向面側に配されるクッション形成シート４４を有する。内側シート４１とクッション形成シート４４は、ウエスト開口部４を形成する端縁に沿って、幅方向に延びるように配置されている。ここで、内側シート４１は、少なくとも一部が吸収体よりも肌対向面側に配されるシートをいい、外側シート４２はその全部が吸収体よりも肌非対向面側に配されるシートをいう。また、クッション形成シート４４は、最表層に設けられるシートであって、内側シート４１よりも肌対向面側に配されるシートである。内側シート４１と外側シート４２は、それぞれ２枚以上のシートから構成されるものであってもよい。なお、本明細書においては、クッション形成シート４４が配されている箇所をクッション部と呼ぶこともある。
【００２２】
クッション部は、複数のウエスト伸縮部材４３を含む。複数のウエスト伸縮部材４３は、クッション形成シート４４よりも肌非対向面側で幅方向に沿って固定されており、
ウエスト開口部４の前身頃外装体１０の端部と後身頃外装体２０の端部に沿って、使い捨ておむつの幅方向に延びている。複数のウエスト伸縮部材４３は、使い捨ておむつの長手方向に所定間隔をあけて配置されている。複数のウエスト伸縮部材４３は、伸張状態で固定され、この複数のウエスト伸縮部材４３が収縮することにより、ウエスト開口部４近傍に、ウエストギャザーが形成される。
【００２３】
複数のウエスト伸縮部材４３は、クッション形成シート４４よりも肌非対向面側で幅方向に沿って固定されていればよい。例えば、複数のウエスト伸縮部材４３は、内側シート４１と外側シート４２の間に固定されていてもよく、内側シート４１とクッション形成シート４４の間に固定されていてもよい。また、内側シート４１や外側シート４２が複数枚存在する場合には、複数のウエスト伸縮部材４３は、内側シート４１同士の間に固定されていてもよく、各外側シート４２同士の間に固定されていてもよい。
【００２４】
複数のウエスト伸縮部材４３は、幅方向に沿って伸張した状態で、各シートの間固定される。その際、ウエスト伸縮部材４３はその全部が、各シートの間に固定されていてもよいが、ウエスト伸縮部材４３の一部のみが各シートの間に固定された状態であり、他の部分は各シートに固定された状態になくてもよい。ウエスト伸縮部材４３の一部のみを固定することにより、身体の動作に合わせてウエスト領域が可動しやすくなり、着用時のフィット感を向上させることもできる。また、ウエスト伸縮部材４３の一部のみを固定することにより、吸収体にヨレやシワが生じにくくすることもできる。
【００２５】
図３は、図２に示したＹ−Ｙ線における断面図を示している。図３に示されるように、前身頃外装体１０と後身頃外装体２０は、外側シート４２と、内側シート４１と、クッション形成シート４４を含んで構成されている。外側シート４２と、内側シート４１と、クッション形成シート４４は共に、使い捨ておむつの長手方向の端縁を形成している。つまり、外側シート４２と、内側シート４１と、クッション形成シート４４は、使い捨ておむつのウエスト開口部４に沿った端縁を形成するものである。なお、図３に示した例において、内側シート４１と外側シート４２はそれぞれ分離されているが、内側シート４１と外側シート４２は繋がって一体的に形成されていてもよい。つまり、一枚のシート部材をウエスト端縁において折り返して、肌対向面側の部分を内側シート４１とし、肌非対向面側の部分を外側シート４２としてもよい。
【００２６】
複数のウエスト伸縮部材４３が固定される際の伸張率は、例えば、１５０〜４００％とすることができ、２００〜３８０％であることが好ましく、２５０〜３６０％であることがより好ましい。なお、「伸張率」とは、非伸張状態（自由状態）の伸縮部材の長さ（原寸）を１００％としたときに、伸張状態とされた伸縮部材の長さの割合を示した値である。このように、伸張状態にあるウエスト伸縮部材４３が各シートの間に固定されることで、ウエスト伸縮部材４３が収縮したときに、ウエスト開口部４近傍に皺（ウエストギャザー）が形成される。
【００２７】
ウエスト伸縮部材４３を、各シートの間に挟み込んで固定するときには、例えば、ウエスト伸縮部材４３自体に接着剤を塗布し、接着剤が塗布されたウエスト伸縮部材４３を、各シートの間に挟み込めばよい。この際、ウエスト伸縮部材４３の一部分にのみ接着剤を塗布してもよい。なお、このような場合はウエスト伸縮部材４３の両端部側に接着剤を塗布することが好ましい。また、ウエスト伸縮部材４３を挟みこむシートの両方又はいずれか一方に接着剤を塗布した後、これらのシートの間にウエスト伸縮部材４３を挟み込んで固定することもできる。
【００２８】
ウエスト伸縮部材４３としては、糸状の弾性ゴム材又は帯状の弾性ゴム材を適用することが好ましい。このようなゴム材としては、スチレン系ゴム、オレフィン系ゴム、ウレタン系ゴム、エステル系ゴム、ポリウレタン、ポリエチレン、ポリスチレン、スチレンブタジエン、シリコーン、又はポリエステル等の素材を用いることができる。
【００２９】
クッション形成シート４４は、使い捨ておむつの着用者の肌に直接触れるシート部材であり、内側シート４１の肌対向面側に、皺（ギャザー）を形成する機能を持つ。クッション形成シート４４が内側シート４１の肌対向面側に、皺（ギャザー）を形成することで、クッション形成シート４４と内側シート４１の間に複数の筒状の通気路（フルート構造）が形成される。
【００３０】
図４には、図面の下側（肌非当接面側）から順に、外側シート４２、ウエスト伸縮部材４３、内側シート４１、及びクッション形成シート４４の順番で重ね合わせ、クッション形成シート４４と内側シート４１の間に複数の筒状の通気路を形成した状態の厚み方向の断面図を示している。図４では、ウエスト伸縮部材４３を幅方向に沿って伸張した状態で固定した後に、収縮させた後の様子を示しており、ウエスト伸縮部材４３の収縮に伴って、クッション形成シート４４に皺が形成されている。つまり、ウエスト伸縮部材４３が収縮すると、非接合部５２において、クッション形成シート４４が、内側シート４１から離れて、クッション形成シート４４と内側シート４１との間に、複数の通気路（空間）７０が形成される。このような構造を、本明細書では「フルート構造」と称している。このような通気路７０は、おむつ外部に通じているため、開孔部５０から取り込まれた蒸気の通路となり、おむつ内部の蒸気をおむつ外部に逃す働きをする。また、通気路７０を通じて、内部に空気を導入することもできる。さらに、このようなフルート構造を形成することにより、ウエスト開口部の肌対向面に、柔軟性やクッション性を付与することもできる。
【００３１】
図２及び４に示されるように、少なくとも内側シート４１とクッション形成シート４４は、長手方向に沿って延びる直線状の接合線で形成された接合部５１と、非接合部５２と、が交互に形成されるように接合部５１で接合されている。すなわち、接合部５１は、おむつの幅方向に沿って間欠的に形成されている。接合部５１においては、ホットメルト接着剤等によってクッション形成シート４４と内側シート４１を接合することとしてもよいし、ヒートシールや超音波シールによってクッション形成シート４４と内側シート４１を融着してもよい。接合部５１の形状は、直線状の接合線であればよく、直線状の接合線には、長手方向に間欠的に形成された接合線も含まれ、直線状の接合線はミシン目線であってもよい。その他、クッション形成シート４４と内側シート４１の接合態様については、公知の接合態様を適宜採用することができる。
【００３２】
外側シート４２については、少なくともその一部が内側シート４１と接合していることが好ましい。例えば、クッション形成シート４４と、内側シート４１と、外側シート４２をともに接合部５１で接合してもよい。また、クッション形成シート４４と内側シート４１の接合部５１とは別に接合部を設けて、内側シート４１と外側シート４２を接合してもよい。
【００３３】
本実施形態では、図３に示されるように、内側シート４１とクッション形成シート４４が、おむつの股下部３の方向へと延在している。そして、内側シート４１とクッション形成シート４４の少なくとも一部は、吸収体３１の肌対向面側に重畳していることが好ましい。内側シート４１とクッション形成シート４４の一部を吸収部本体３０に重畳させることで、吸収部本体３０が、前身頃外装体１０及び後身頃外装体２０にしっかりと固定されて、外れにくくなる。
【００３４】
クッション形成シート４４の各々の非接合部５２には、少なくとも１つの開孔部５０が設けられている。このような開孔部５０は、クッション形成シート４４の非接合部の股下部側端部領域に設けられる。開孔部５０をクッション形成シート４４の非接合部の股下部側端部領域に設けることで、おむつ内部にこもった蒸気が開孔部５０から取り込まれやすくなり、取り込まれた蒸気は通気路７０を通っておむつの外部に放出される。これにより、おむつ内部に蒸気がこもることを抑制することができる。なお、開孔部５０の少なくとも一部は吸収体３１に重畳していてもよく、吸収体３１に重畳していなくてもよい。図３では、開孔部５０が吸収体３１に重畳していない例を示している。
【００３５】
本明細書において、開孔部５０とは、シート部材が完全に貫通するように形成された貫通孔を意味する。各々の非接合部に設けられる開孔部５０の個数は、３個以下であることが好ましく、２個以下であることがより好ましく、１個であることが特に好ましい。開孔部の個数を上記範囲内とすることにより、開孔部５０で取り込んだ蒸気を通気路７０の途中で逃すことなく、おむつの外部に放出することができる。
【００３６】
開孔部５０の少なくとも一部が吸収体３１に重畳している場合、開孔部５０は、吸収体３１の長手方向端部領域に重畳することが好ましい。ここで、長手方向端部領域とは、長手方向（Ｙ方向）の端部に存在する領域であり、このような長手方向端部領域は幅方向（Ｘ方向）に沿って設けられている。本明細書において、吸収体３１の長手方向端部領域は、吸収体３１の長手方向の端縁から、長手方向内側に向かって吸収体全長の１５％の距離までの領域をいう。すなわち、吸収体３１の全長をＬｍｍとした場合、吸収体３１の長手方向端部領域の長手方向長さは０．１５×Ｌｍｍであり、このような領域が吸収体３１の両端部に設けられている。
【００３７】
開孔部５０は、通気路７０の端部領域に設けられることが好ましい。すなわち、開孔部５０は、通気路７０の端部領域を構成するクッション形成シート４４に設けられることが好ましい。通気路７０の長手方向の長さは、接合部５１の長手方向の長さによって決まるものであり、股下部側端部領域にまで延びている接合部５１の長手方向と同一である。なお、開孔部５０の少なくとも一部が吸収体３１に重畳する場合、通気路７０も吸収体３１に重畳しており、接合部５１も吸収体３１に重畳している。この場合、吸収体３１に重畳する接合部５１においては、内側シート４１とクッション形成シート４４のみが接合されていることが好ましく、外側シート４２は共に、接合されていないことが好ましい。
【００３８】
開孔部５０の面積は、０．０１〜５ｃｍ2であることが好ましく、０．０２〜１ｃｍ2であることがより好ましい。また、開孔部５０の形状は、円形、楕円形であってもよいし、三角形、四角形、五角形、六角形、その他の多角形であってもよい。
【００３９】
開孔部５０の幅方向の間隔をＷとし、接合部５１の幅方向の間隔（非接合部５２の幅）をＳとした場合、Ｗ＜Ｓであることが好ましい。例えば、開孔部５０の間隔（Ｗ）は、接合部５１の幅方向の間隔（Ｓ）に対して、５０％以上であることが好ましく、６０％以上であることがより好ましく、７０％以上であることがさらに好ましく、８０％以上であることが特に好ましい。また、開孔部５０の間隔（Ｗ）は、接合部５１の幅方向の間隔（Ｓ）に対して、９９％以下であることが好ましく、９５％以下であることがより好ましい。これにより、おむつ内部にこもった蒸気を効率よく取り込むことができる。
【００４０】
接合部５１は、それぞれ、長手方向に沿って延びる直線状の接合線が１列に並んで形成されたものであってもよく、長手方向に沿って延びる直線状の接合線が２列に並んで形成されたものであってもよい。図５は、接合部５１と非接合部５２を有するウエスト開口部４近傍の拡大図であって、各接合部５１の接合線が２列に並んで形成されたものを図示している。図５に示されるように、２列の接合線で挟まれた領域を接合部５１といい、この接合部５１に挟まれた領域を非接合部５２という。そして、開孔部５０は、非接合部５２に形成される。ここで、各接合部５１の接合線が２列に並んで形成されたものである場合であって、接合部５１内の接合線の列の間の間隔（接合部５１の幅）をＴとし、接合部５１の幅方向の間隔（非接合部５２の幅）をＳとした場合、Ｓ＞Ｔである。なお、Ｓ＞２×Ｔであることが好ましく、Ｓ＞３×Ｔであることがより好ましく、Ｓ＞４×Ｔであることがさらに好ましい。
【００４１】
内側シート４１に開孔部５０を形成する際には、公知のパンチング方式の開口装置を用いて、開孔部５０を形成することができる。
【００４２】
内側シート４１、外側シート４２、クッション形成シート４４は、不織布であることが好ましい。不織布としては、例えばスパンボンド法や、エアスルー法、エアレイド法によって製造されたものを用いることが好ましい。
【００４３】
なお、クッション形成シート４４の透気度は、内側シート４１の透気度よりも高いものであることが好ましい。クッション形成シート４４の透気度を高くすることにより、おむつ内部にこもった蒸気をより取り込みやすくすることができる。また、内側シート４１の透気度を低くすることにより、通気路７０の途中で蒸気が外側シート側に漏れ出ることを抑制することができ、おむつ内部にこもった蒸気をより効果的に外部に放出することができる。
【００４４】
内側シート４１の密度は、クッション形成シート４４の密度よりも大きいことが好ましい。クッション形成シート４４の密度を小さくすることで、おむつ内部にこもった蒸気をより取り込みやすくすることができる。また、内側シート４１の密度を大きくすることにより、通気路７０の途中で蒸気が外側シート側に漏れ出ることを抑制することができ、おむつ内部にこもった蒸気をより効果的に外部に放出することができる。
【００４５】
前身頃外装体１０及び後身頃外装体２０は、インナーシート４５と、タミー伸縮部材４６と、をさらに含んで構成されていてもよい。図３に示されるように、本実施形態において、外側シート４２は、股下部３の方向へと延在し、その一部が、吸収部本体３０の肌非対向面側に位置している。ここで、外側シート４２の延在部分の肌対向面側には、インナーシート４５が配置されていてもよい。そして、外側シート４２の延在部分とインナーシート４５との間には、一又は複数本のウエスト伸縮部材４３及び／又はタミー伸縮部材４６が、挟まれて固定されていてもよい。タミー伸縮部材４６は、ウエスト伸縮部材４３と同様に、おむつの幅方向に沿った伸張状態で、外側シート４２の延在部分とインナーシート４５との間に固定される。なお、タミー伸縮部材４６はウエスト伸縮部材４３よりも股下部３側に設けられる伸縮部材である。本明細書においては、開孔部５０よりもウエスト端縁寄りに設けられる伸縮部材をウエスト伸縮部材４３といい、開孔部５０よりも股下部寄りの位置に設けられる伸縮部材をタミー伸縮部材という。
【００４６】
本実施形態においては、タミー伸縮部材４６は幅方向中央部においてカット（切断）されていてもよい。タミー伸縮部材４６のように伸縮部材をカットすることはタミーカットと呼ばれる方法である。タミー伸縮部材４６を配設する際には、ウエスト伸縮部材４３と同様に、おむつの幅方向に沿った伸張状態で、外側シート４２の延在部分とインナーシート４５との間に固定される。そして、固定された後に、タミー伸縮部材４６の幅方向の中点でカットされる。このようなタミーカットを施すことにより、下腹部を締め付けすぎない構造とすることができる。なお、タミーカットが施されたタミー伸縮部材４６は、その一部が収縮するため、前身頃外装体１０及び後身頃外装体２０の幅方向の中央領域にはタミー伸縮部材４６が張設されていない。
【００４７】
＜吸収部本体＞
吸収部本体３０は、前身頃外装体１０と後身頃外装体２０の間に架橋された状態で保持され、使い捨ておむつの着用時に、着用者の股下部に位置し、着用者が排泄した尿などの液体を吸収保持する。図３に示されるように、吸収部本体３０は、吸収体３１と、トップシート３２と、バックシート３３と、カバーシート３４を備えていることが好ましい。
【００４８】
吸収体３１は、尿などの液体を吸収し、吸収した液体を保持するための部材である。吸収体３１は、液透過性のトップシート３２と、液不透過性のバックシート３３の間に配置される。吸収体３１は、トップシート３２を透過した液体を吸収する機能を有し、吸収性材料により構成される。吸収体３１を構成する吸収性材料には、公知の材料を採用することができる。吸収性材料としては、例えば、フラップパルプ、高吸収性ポリマー、又は親水性シートを用いることとしてもよい。吸収体３１は、コアラップシート３６によって、被包されることが好ましい。コアラップシート３６としては、ティシュペーパー、吸収紙、親水化処理を行った不織布等を適宜用いることができる。
【００４９】
吸収体３１は、その外形が矩形状のものであってもよいし、図２のように長手方向の中央部分がくびれた形（いわゆる砂時計型）であってもよい。
【００５０】
吸収体３１の厚みは長手方向及び幅方向のいずれの方向においても略均一であってもよいが、長手方向端部領域の両方又はいずれか一方の平均厚みが、吸収体の中央領域の平均厚みよりも薄くなっていてもよい。なお、吸収体３１の長手方向端部領域は、吸収体３１の長手方向の端縁から、長手方向内側に向かって吸収体全長の１５％の距離までの領域をいう。このような領域は吸収体３１の両端部に設けられており、長手方向端部領域の間に挟まれた領域を中央領域という。例えば、長手方向端部領域の平均厚みを∨とし、吸収体３１の中央領域の平均厚みをＷとした場合、∨／Ｗは、０．３〜０．９であってもよく、０．５〜０．８であってもよい。このように吸収体３１の厚みを調整することにより、開孔部５０付近の通気路７０を広げることが可能となり、おむつ内部にこもった蒸気を外部に逃しやすくすることもできる。
【００５１】
トップシート３２は、着用者の股下部の肌に直接接し、尿などの液体を吸収体３１へ透過させるための部材である。このため、トップシート３２は、柔軟性が高い液透過性材料で構成される。また、トップシート３２は、吸収体３１の肌対向面側を被覆するように配置される。トップシート３２を構成する液透過性材料の例は、織布、不織布、又は多孔性フィルムである。また、トップシート３２としては、例えばポリプロピレンやポリエチレン、ポリエステル、ナイロンのような熱可塑性樹脂の繊維を親水化処理してさらに不織布にしたものを用いることとしてもよい。
【００５２】
バックシート３３は、トップシート３２を透過し吸収体３１に吸収された液体が、おむつの外側へ漏出することを防止するための部材である。このため、バックシート３３は、液不透過性材料によって構成される。バックシート３３は、吸収体３１の底面からの液漏れを防止するため、吸収体３１を肌非対向面側から被覆する。バックシート３３を構成する不透過性材料の例は、ポリエチレン樹脂からなる液不透過性のフィルムである。ただし、通気性を確保するために、０．１〜４μｍの微細な孔が複数形成された微多孔性ポリエチレンフィルムを用いることが好ましい。
【００５３】
カバーシート３４は、バックシート３３を補強し、かつ、その手触りを良くするための部材である。カバーシート３４は、バックシート３３の肌非対向面側に貼り合わせられる。カバーシート３４を構成する材料としては、織布や不織布が用いられる。特に、カバーシート３４を構成する材料として、ポリエチレン、ポリプロピレン、ポリエステルのような熱可塑性樹脂からなる不織布又は湿式不織布を用いることが好ましい。
【００５４】
図１及び２に示されるように、吸収部本体３０は一対の立体ギャザー３５を備えていてもよい。一対の立体ギャザー３５は、吸収体３１の両側縁部に沿って起立し、着用者が排泄した尿の横漏れを防止するための部材である。立体ギャザー３５のそれぞれには、その先端部に、立体ギャザー伸縮材が配置されており、伸縮材が収縮した際に、着用者の肌接触方向に向かって立ち上がる。このため、一対の立体ギャザー３５は、尿の防漏壁となり、トップシート３２を透過しなかった尿や、吸収体３１により吸収しきれなった尿が、使い捨ておむつのレッグ開口部などから漏出する横漏れを防止する。立体ギャザー３５は、従来の使い捨ておむつに用いられている公知の構成を採用することができる。立体ギャザー３５は、例えば、撥水性シートの層間に伸張状態の立体ギャザー伸縮材を挟み込んで固定することにより、形成することができる。撥水性シートとしては、例えば、カードエンボスやスパンボンド等の製法により得られた不織布シートを使用することができ、特に防水性が高いＳＭＳやＳＭＭＳ等の不織布シートを用いることが好ましい。
【００５５】
＜溝部＞
吸収体３１は溝部を有していてもよい。本明細書において、溝部とは、一部又は全部が凹部で構成されるものをいう。溝部は、吸収体３１にのみ形成されるものであってもよい。この場合、コアラップシート３６やトップシート３２は溝部を有していない。また、溝部は、吸収体３１に加えて、コアラップシート３６やトップシート３２の積層体に形成されるものであってもよい。
【００５６】
溝部は、吸収体３１において、排泄液の流路として機能する。すなわち、溝部は液体流路と呼ぶこともできる。吸収体３１にこのような溝部を設けることにより、溝部は毛管力を発揮することができる。ここで、毛管力とは、排泄液を溝部に沿って流通され得る力である。これにより、吸収体３１は排泄液を流路に沿って拡散させることができ、大量に排泄される排泄液を吸収体３１の広範な領域で素早く吸収することができる。また、吸収体３１を構成する吸収性材料の一部にのみ排泄液の吸収が偏ることなく、吸収性材料による排泄液の吸収を効率よく行うことができる。
【００５７】
また、吸収体３１に溝部を設けることにより、吸収体自体の剛性に起因する違和感を低減することもできる。特に、吸収体３１に溝部を設けることで、腹部や背部における吸収体の違和感を低減することができる。また、腹部や背部において、吸収体３１と肌の接触面積を少なくすることができるため、べたつき感やそれに伴う違和感を解消することができる。さらに、溝部が通気溝としても作用するため、おむつ装着時のムレを低減することができる。
【００５８】
溝部は吸収体３１の長手方向に間欠的または連結的に形成されるものである。例えば、格子状の平坦部が形成されるように直線状の溝部を複数本設けてもよい。また、複数本の溝部を吸収体の長軸と平行に設けてもよい。この場合、複数本の溝部は直線状であってもよく、波線やジグザグ状線であってもよい。さらに、溝部を複数の円形の配列した態様としてもよい。
【００５９】
溝部の面積は、吸収体３１の面積に対して５〜５０％であることが好ましく、５〜４５％であることがより好ましく、８〜３０％であることがさらに好ましい。また、溝部の幅は、１〜１０ｍｍであることが好ましく、２〜５ｍｍであることがより好ましい。溝部の面積や幅を上記範囲内とすることにより、吸収体３１のフィット性をより効果的に高めることができる。また、溝部が流路としての機能を効率よく果たすことができる。
【００６０】
溝部は、吸収体３１の長手方向端縁まで延びてもよく、吸収体３１の長手方向端縁に達していなくてもよい。溝部が吸収体３１の長手方向端縁まで延びている場合は、吸収体３１と肌の間に小さな隙間が形成されることとなるため、通気性をより高めることができる。一方、溝部が吸収体３１の長手方向端縁に達していない場合は、排泄液の漏れを効果的に抑制することができる。
【００６１】
溝部は、該溝部の吸収体の坪量を減らすことや、吸収体３１にエンボス加工（圧搾）を施すことで形成することができる。溝部の吸収体の坪量を減らす場合は、吸収体３１を構成する吸収性材料を所定形状のシート状にする工程で、フォーミングドラムが溝部の形状に応じた凹凸面をドラム外周に備えていることが好ましい。フォーミングドラムでは、ドラム内部に向かって吸引を行うため、ドラム外周の凹凸面に沿った溝部が形成された吸収体３１が得られる。その後、吸収体３１の上下面にはコアラップシート３６がそれぞれ積層される。なお、溝部部分の吸収体の坪量を減らす場合は、溝部の吸収体の坪量をゼロにしてもよい。
【００６２】
吸収体３１にエンボス加工（圧搾）を施すことで溝部３７が形成される場合は、吸収体３１の肌対向面側、肌非対向面側、又は両面側からエンボス加工を施してもよい。エンボス加工を肌対向面側から施す場合、吸収体３１にエンボス加工を施した後にトップシート３２を積層してもよいし、吸収体３１にトップシート３２を積層した後にエンボス加工を施してもよい。エンボスロールには、溝部の形状に応じた凹凸が形成されており、トップシート３２側からエンボスロールを回転しながら押し当てることにより、溝部が形成される。なお、エンボス加工工程においては、トップシート３２と、コアラップシート３６で被包した吸収体３１の接着を同時に行ってもよい。
【符号の説明】
【００６３】
１     前身頃
２     後身頃
３     股下部
４     ウエスト開口部
５     レッグ開口部
１０   前身頃外装体
２０   後身頃外装体
３０   吸収部本体
３１   吸収体
３２   トップシート
３３   バックシート
３４   カバーシート
３５   立体ギャザー
３６   コアラップシート
４１   内側シート
４２   外側シート
４３   ウエスト伸縮部材
４４   クッション形成シート
４５   インナーシート
４６   タミー伸縮部材
５０   開孔部
５１   接合部
５２   非接合部
７０   通気路
１００ 吸収性物品
【図１】
2018196574.tif 000003
【図２】
2018196574.tif 000004
【図３】
2018196574.tif 000005
【図４】
2018196574.tif 000006
【図５】
2018196574.tif 000007